(57)【要約】【課題】    好ましい運動効果と高い構造上の強度を具える健康器具を提供する。【解決手段】ハンドルを具える本体と、弾性部材を介して該本体に摺動自在に設けられる支持桿と、支持桿の一端に設けられ腹部に当接させる当接板と、Ｌ字状の連結桿を介して該本体に回動自在に設ける回転盤とを具え、本体は環状の上下ハウジングと弾性部材とスライドブロックとによってなり、上下ハウジングの外周を４等分する位置に桿体を収納する溝を形成し、且つ直径方向にスライド溝を形成して弾性部材を収納し、支持桿を挿入する。回転盤は上下ハウジングを具え、重りを収納するスライド溝を内部に形成し、回転体を内接する。上ハウジングの上面に偏心させて中空の凸部を形成し、連結桿の一端を挿入する。下ハウジングの底面には一端に計測センサを設ける。開口の近くに磁気ブロックを設け、本体下ハウジングに対応する磁気センサを設け、本体上ハウジングに電子カウンタを設ける。【選択図】図１
0003108991.tif 000002
【実用新案登録請求の範囲】
【請求項１】
本体と、ハンドルと、支持桿と、腹部に当接させる当接板と、連結桿と、回転盤とを含んでなり、
該本体はリング状の部分を有する本体上ハウジング及び本体下ハウジングと、弾性部材と、スライドブロックとによってなり、本体上ハウジングの外周を４等分する位置にはいずれも下向きに開口する収納溝を形成し、該下ハウジングは該本体上ハウジングのスライド溝に対応する位置に上向きに開口する収納溝を形成し、
該弾性部材は、該本体上ハウジングと該本体下ハウジングのスライド溝内に設けられ、
該ハンドルは、嵌着部とグリップ部材とを連結してなり、該本体上ハウジングと該本体下ハウジングの左右収納溝内に嵌着し、
該当接板は、円弧状の彎曲を有する板体であって、一方の面には該支持桿の他端を嵌挿して固定する環状突起を形成し、
該回転盤は、上ハウジングと、回転体と、錘部材と、下ハウジングとを含んでなり、該上ハウジングは上面の円の中心から外周寄りの位置に、半球状で内部が中空の凸部を一体に形成し、該下ハウジングは該上ハウジングの凸部に対応する位置に、同様に半球状で内部が中空の下凸部を形成してなり、手、腰、腹部などの部位の運動を行う健康器具であって、
該本体上ハウジングは、中心を通過する線に沿って下向きに開口するスライド溝を形成し、かつ該スライド溝を形成する位置の上面に電子カウンタを設け、
該本体下ハウジングは、該本体上ハウジングのスライド溝に対応する位置に上向きに開口するスライド溝を形成し、かつ本体下ハウジングの底面には一端に回転動作の制御桿を設けるとともに、他端に計測センサを設け、
該スライドブロックは該弾性部材の一端に接続し、且つ本体上ハウジングと本体下ハウジングのスライド溝内に摺動自在に設けられ、
該支持桿は、一端にスライドブロックを接続し、水平方向に設ける桿体であって、該支持桿の底面側には下向きに開口する位置制限溝を形成し、該スライドブロックを接続した一端を該本体上ハウジング、本体下ハウジングのスライド溝内に嵌挿し、
該連結桿は、L字状に形成された桿体であって、水平部の一端が該本体上ハウジング、本体下ハウジングに形成された収納溝内に嵌挿され、
該回転盤の上ハウジングに形成する凸部は上端に開口を形成するとともに、該開口に近接する位置に磁気ブロックを設け、かつ該上ハウジングの底面において該スライド溝は該凸部外周縁部から該回転盤の円の中心を通過して該上ハウジングの外周縁部に向かって形成され、
該回転体は、該上ハウジングの凸部の開口を貫通する上端部を具え、壁面が該上ハウジングの凸部の内壁に沿って曲線を描くように形成される中空の部材であって、且つ該回転体の底端縁部にはフランジを形成し、
前記錘部材は、中心の位置にネジ孔を形成し、前記下ハウジングの底面から締結部材を前記ネジ孔に螺着させ、前記下ハウジング上において摺動自在に設けることを特徴とする健康器具。
【請求項２】
前記スライドブロックは、両側面にそれぞれ平行する切断面を形成し、且つ前記本体上ハウジングのスライド溝と、該スライド溝に対応する下ハウジングのスライド溝によって形成される空間内に摺動自在に設けられ、また、該スライドブロックの内壁にも平行する切断面を形成して軸挿入溝とし、
前記支持桿は、両端縁部のいずれにも両側面にそれぞれ平行する切断面を形成し、一端を該スライドブロックの軸挿入溝に嵌挿し、他端を内壁の両側面に平行する切断面を形成した当接板の環状突起に嵌挿して、該支持桿を当接板に連結した場合、該本体が回転することを防ぐように構成することを特徴とする請求項１に記載の健康器具。
【請求項３】
前記磁気ブロックが、本体下ハウジングの該連結桿を接続する一端の底面に設ける計測センサに対応して磁気による吸引反応を間歇的に発生させて、該計測センサに供するように構成されることを特徴とする請求項１に記載の健康器具。
【請求項４】
前記回転体は内部の中心の位置に連結部材を嵌着し、該連結部材の底面には凹溝を形成し、該凹溝の内壁に、歯車に噛合する歯を形成した噛合リングを設け、別途中心に歯車を具える発電機を該連結部材の凹溝に嵌着して該噛合リングと該発電機の歯車とを噛合させ、
該回転盤の下ハウジングの下凸部に収納溝を形成してスピーカーを設け、電源線を介して該発電機と該スピーカーとを電気的に接続し、該電源線をさらに延長して、発光素子に接続することを特徴とする請求項１に記載の健康器具。
【請求項５】
前記連結桿が、端縁部を三つ具えるT字状に形成され、該Ｔ字状の連結桿の垂直方向の端縁部に該回転盤を該本体に対して水平に設けるか、もしくは水平方向の端縁部に該回転盤を本体に対して垂直に設けることができるように構成することを特徴とする請求項１に記載の健康器具。
【請求項６】
前記回転盤をＴ字状の連結桿の水平方向の端縁部に連結して本体に対して垂直に設け、力を加えて操作すると本体に垂直方向の円を描く動作が発生し、重りを有する回転盤を本体に対して垂直に回転するように動かし、使用者の手、腰、腹部が上下に円を描く動作を行い、手、腰、腹部の運動の効果を達成することを特徴とする請求項５に記載の健康器具。
【考案の詳細な説明】
【技術分野】
【０００１】
この考案は健康器具に関し、特に、手、腰、腹部の運動に適した健康器具に関する。
【背景技術】
【０００２】
従来の、手、腰、腹部の運動に適した健康器具は、支持桿に回転盤の回転方向を変換するための自在に折り曲げできる関節構造を有するものが提供されているが、かかる関節構造は回転盤の回転を不安定にする。このため健康器具の構造に影響を与え、使用寿命を短くするという欠点を有する。
よって、手、腰、腹部を鍛える健康器具においては、回転盤の安定した回転が得られ、且つ好ましい構造上の強度を具えるものが望まれている。
【考案の開示】
【考案が解決しようとする課題】
【０００３】
手、腰、腹部に対する好ましい運動効果が得られるとともに、構造上の強度を具える健康器具を提供することを課題とする。
【課題を解決するための手段】
【０００４】
そこで、本考案者は従来の健康器具に見られる欠点に鑑み鋭意研究を重ねた結果、ハンドルを具える本体と、弾性部材を介して該本体に摺動自在に設けられる支持桿と、該支持桿の一端に設けられ腹部に当接させる当接板と、連結桿を介して回動自在に設けられる回転盤とによってなる健康器具の構造によって従来の技術に見られる欠点を改良できるという点に着眼し、係る知見に基づき本考案を完成させた。
以下この考案について具体的に説明する。
【０００５】
請求項１に記載する健康器具は、本体と、ハンドルと、支持桿と、腹部に当接させる当接板と、連結桿と、回転盤とを含んでなり、
該本体はリング状の部分を有する本体上ハウジング及び本体下ハウジングと、弾性部材と、スライドブロックとによってなり、本体上ハウジングの外周を４等分する位置にはいずれも下向きに開口する収納溝を形成し、該下ハウジングは該本体上ハウジングのスライド溝に対応する位置に上向きに開口する収納溝を形成し、
該弾性部材は、該本体上ハウジングと該本体下ハウジングのスライド溝内に設けられ、
該ハンドルは、嵌着部とグリップ部材とを連結してなり、該本体上ハウジングと該本体下ハウジングの左右収納溝内に嵌着し、
該当接板は、円弧状の彎曲を有する板体であって、一方の面には該支持桿の他端を嵌挿して固定する環状突起を形成し、
該回転盤は、上ハウジングと、回転体と、重りと、下ハウジングとを含んでなり、該上ハウジングは上面の円の中心から外周寄りの位置に、半球状で内部が中空の凸部を一体に形成し、該下ハウジングは該上ハウジングの凸部に対応する位置に、同様に半球状で内部が中空の下凸部を形成してなり、手、腰、腹部などの部位の運動を行う健康器具であって、
該本体上ハウジングは、中心を通過する線に沿って下向きに開口するスライド溝を形成し、かつ該スライド溝を形成する位置の上面に電子カウンタを設け、
該本体下ハウジングは、該本体上ハウジングのスライド溝に対応する位置に上向きに開口するスライド溝を形成し、かつ本体下ハウジングの底面には一端に回転動作制御桿を設けるとともに、他端に計測センサを設け、
該スライドブロックは該弾性部材の一端に接続し、且つ本体上ハウジングと本体下ハウジングのスライド溝内に摺動自在に設けられ、
該支持桿は、一端にスライドブロックを接続し、水平方向に設ける桿体であって、該支持桿の底面側には下向きに開口する位置制限溝を形成し、該スライドブロックを接続した一端を該本体上ハウジング、本体下ハウジングのスライド溝内に嵌挿し、
該連結桿は、L字状に形成された桿体であって、水平部の一端が該本体上ハウジング、本体下ハウジングに形成された収納溝内に嵌挿され、
該回転盤の上ハウジングに形成する凸部は上端に開口を形成するとともに、該開口に近接する位置に磁気ブロックを設け、かつ該上ハウジングの底面において該スライド溝は該凸部外周縁部から該回転盤の円の中心を通過して該上ハウジングの外周縁部に向かって形成され、
該回転体は、該上ハウジングの凸部の開口を貫通する上端部を具え、壁面が該上ハウジングの凸部の内壁に沿って曲線を描くように形成される中空の部材であって、且つ該回転体の底端縁部にはフランジを形成し、
該重りは、中心の位置にネジ孔を形成し、該下ハウジングの底面から締結部材を該ネジ孔に螺着させ、該下ハウジング上において摺動自在に設ける。
【０００６】
請求項２に記載する健康器具は、請求項１におけるスライドブロックは、両側面にそれぞれ平行する切断面を形成し、且つ該本体上ハウジングのスライド溝と、該スライド溝に対応する下ハウジングのスライド溝によって形成される空間内に摺動自在に設けられ、また、該スライドブロックの内壁にも平行する切断面を形成して軸挿入溝とし、
該支持桿は、両端縁部のいずれにも両側面にそれぞれ平行する切断面を形成し、一端を該スライドブロックの軸挿入溝に嵌挿し、他端を内壁の両側面に平行する切断面を形成した当接板の環状突起に嵌挿して、該支持桿を当接板に連結した場合、該本体が回転することを防ぐように構成する。
【０００７】
請求項３に記載する健康器具は、請求項１における磁気ブロックが、本体下ハウジングの該連結桿を接続する一端の底面に設ける計測センサに対応して磁気による吸引反応を間歇的に発生させて、該計測センサに供するように構成される。
【０００８】
請求項４に記載する健康器具は、請求項１における回転体は内部の中心の位置に連結部材を嵌着し、該連結部材の底面には凹溝を形成し、該凹溝の内壁に、歯車に噛合する歯を形成した噛合リングを設け、別途中心に歯車を具える発電機を該連結部材の凹溝に嵌着して該噛合リングと該発電機の歯車とを噛合させ、該回転盤の下ハウジングの下凸部に収納溝を形成してスピーカーを設け、電源線を介して該発電機と該スピーカーとを電気的に接続し、該電源線をさらに延長して、発光素子に接続する。
【０００９】
請求項５に記載する健康器具は、請求項１における連結桿が、端縁部を三つ具えるT字状に形成され、該Ｔ字状の連結桿の垂直方向の端縁部に該回転盤を該本体に対して水平に設けるか、もしくは水平方向の端縁部に該回転盤を本体に対して垂直に設けることができるように構成する。
【００１０】
請求項６に記載する健康器具は、請求項５における回転盤をＴ字状の連結桿の水平方向の端縁部に連結して本体に対して垂直に設け、力を加えて操作すると本体に垂直方向の円を描く動作が発生し、重りを有する回転盤を本体に対して垂直に回転するように動かし、使用者の手、腰、腹部が上下に円を描く動作を行い、手、腰、腹部の運動の効果を達成する。
【考案の効果】
【００１１】
この考案による健康器具は、腕、腰、腹部を中心とした身体の部位について好ましい運動効果が得られるとともに、好ましい構造上の強度を具えるため、器具の使用寿命が長くなるという利点を有する。更に、本考案の健康器具における回転盤に発電機を設け、該回転盤の回転によって発生する電流を利用して音声を発生させたり、発光素子を発光させたりすることによって使用上の面白さを使用者に提供するため、本考案の健康器具を使用した運動に対する興味をそそり、運動を持続させるという利点を有する。
【考案を実施するための最良の形態】
【００１２】
この考案は、手、腰、腹部の運動に適した健康器具を提供するものであって、ハンドルを具える本体と、弾性部材を介して該本体に摺動自在に設けられる支持桿と、該支持桿の一端に設けられ腹部に当接させる当接板と、連結桿を介して回動自在に設けられる回転盤とによって健康器具を構成し、好ましい運動効果が得られるとともに、高い構造上の強度を具えるという目的を実現した。
かかる健康器具の構造と、その特徴を説明するために、具体的な実施例を挙げ、図面を参照にして以下に詳述する。
【実施例】
【００１３】
図１、図２に開示するように、この考案による健康器具の第１実施例は、本体１と、ハンドル２と、支持桿３と、腹部に当接させる当接板４と、連結桿５と、回転盤６を含んでなる。
【００１４】
前記本体１は、図３に分解して示すように、本体上ハウジング１１及び本体下ハウジング１２によって構成し、内部に弾性部材１３と、スライドブロック１４とを設けている。
【００１５】
本体上ハウジング１１は、リング状の部分と、円の中心を通過する直線状の部分とによって略φ字状に形成され、該リング状の部分は円周を４等分する位置に断面が半円形を呈し、下向きに開口する収納溝１１２をそれぞれ形成する（図３、７参照）。
また、直線状の部分には断面が半円形状を呈し、下向きに開口するスライド溝１１１を形成し（図３、７参照）、且つ該直線状の部分の上面には電子カウンタ１１３を嵌着する（図５参照）。
【００１６】
本体下ハウジング１２は、本体上ハウジング１１と略同様の形状に形成され、リング状の部分には本体上ハウジング１１の収納溝１１２に対応する位置に断面が半円形状を呈し、上向きに開口する収納溝１２２をそれぞれ形成している。また、直線状の部分には断面が半円形状を呈し、上向きに開口し、該本体上ハウジング１１のスライド溝１１１に対応するスライド溝１１２を形成する。
【００１７】
また、図３に開示するように本体下ハウジング１２は、支持桿３を設ける側の収納溝１２２に底面からねじ嵌合した回転動作を制限する制限桿１２３を設けるとともに、連結桿５を設ける側の収納溝１２２の位置には、底面に計測センサ１２４を嵌着する（図５参照）。
前記弾性部材１３は、本体上ハウジング１１と本体下ハウジング１２のスライド溝１１１，１２１内に設けられ、スライドブロック１４により支持されている。 
【００１８】
前記ハンドル２は、嵌着部材２１とグリップ部材２２とを連結してなり、本体上ハウジング１１と本体下ハウジング１２の左右収納溝１１２，１２２内に嵌着される。
前記支持桿３は、一端にスライドブロック１４を接続してなる、水平方向に設ける桿体であって、支持桿３の底面側には下向きに開口する位置制限溝３１を形成する。また、支持桿３はスライドブロック１４を接続した一端を本体上ハウジング１１、本体下ハウジング１２のスライド溝１１１，１２１内部に嵌挿する。
前記当接板４は、円弧状の彎曲を有する板体であって、一方の面には支持桿３の他端を嵌挿し、固定する環状突起４１を形成してなる。
【００１９】
前記連結桿５は、L字状に形成された桿体であって、水平部の一端が本体上ハウジング１１、本体下ハウジング１２に形成された収納溝１１２，１２２の内部に嵌挿される。
前記回転盤６は、上ハウジング６１と、回転体６２と、錘部材６３と、下ハウジング６４とを含んでなる。該上ハウジング６１と下ハウジング６４とを連結した場合、内部にスライド溝６１４が形成される。また、回転盤６は前記L字状に形成された連結桿５の垂直部に連結し、該連結桿５を回転運動の支点として回動するように設ける。（図５、６参照）
【００２０】
前記上ハウジング６１は上面の円の中心から外周寄りの位置に、半球状で内部が中空の凸部６１１を一体に形成する。該凸部６１１は上端に開口６１２を形成するとともに、開口６１２に近接する位置に磁気ブロック６１３を設ける。上ハウジング６１の底面において該スライド溝６１４は該凸部６１１の外周縁部から回転盤６の円の中心を通過して上ハウジング６１の外周縁部に向かって形成される。
【００２１】
前記回転体６２は、壁面が該上ハウジング６１の凸部６１１の内壁に沿って曲線を描くように形成される中空の部材であって、且つ該凸部６１１の開口６１２を貫通する筒状の上端部を具え、連結桿５の下端は凸部６１１の開口６１２を貫通した回転盤６の上端部に嵌着する。また、回転体６２の底端縁部にはフランジ６２１を形成する。
【００２２】
錘部材６３は、中心位置にネジ孔６３１を形成し、下ハウジング６４の底面から例えばボルト等の形態である締結部材６３２を該ネジ孔６３１に螺着させ、下ハウジング６４上において摺動自在に設ける。
【００２３】
下ハウジング６４は上ハウジング６１の凸部６１１に対応する位置に、同様に半球状で内部が中空の下凸部６４１を形成し、該スライド溝６１４の底面には該締結部材６３２が貫通するスライド孔６４３を形成する。
【００２４】
前記のＬ字状の連結桿５は、端縁部を三つ具えるＴ字状に形成してもよい。即ち、図８、図９に開示するように、連結桿５ａは側面から見るとＴ字状を呈する。この場合、垂直方向の端縁部と、水平方向の端縁部のいずれにも回転盤６を設けることができ、連結桿５ａを支軸として回転盤６を本体に対し垂直に回転させるか、もしくは連結桿５ａを支軸として回転盤６を本体に対し平行に回転させることができる。
【００２５】
また、本体１のスライドブロック１４は、支持桿３の軸方向を縦の方向とした場合、その横方向の両側面にそれぞれ平行する切断面を形成する。該スライドブロック１４は本体上ハウジング１１のスライド溝１１１と、該スライド溝に対応する下ハウジング１２のスライド溝１２１とによって形成される空間内に摺動自在に設けられる。
また、スライドブロック１４の内壁にも平行する切断面を形成して軸挿入溝１４１とする（図３参照）。該軸挿入溝１４１を嵌挿は、図３に開示するように、内側に両側に平行な切断面を具えた嵌着溝１４１を設けてなる。該嵌着溝１４１には、支持桿３の一端を挿入する。
【００２６】
支持桿３は、両端縁部のいずれにも横方向の両側面にそれぞれ平行する切断面を形成し、一端をスライドブロック１４の軸挿入溝１２１に嵌挿し、他端を当接板４の環状突起４１に嵌挿する。この場合、環状突起４１１の内壁の両側面にも同様に平行する切断面を形成する。よって、支持桿３を当接板４に連結した場合、支持桿３と本体１とが回転することを防ぎ、安定した連結が得られる。
【００２７】
また、本体下ハウジング１２の連結桿５を接続する一端には底面に計測センサ１２４を設ける。該計測センサ１２４は回転盤６の上ハウジング６１の凸部６１１に設ける磁気ブロック６１３に対応するものであって、回転体６が連結桿５を支点として回転する場合、該計測センサ１２４と該磁気ブロックとの間に磁気による吸引反応が間歇的に発生し、該吸引反応を感知して信号を本体上ハウジング１１の電子カウンタ１１３に送信し、該電子カウンタ１１３によって回転盤６の回転数を計算して表示する。
【００２８】
回転体６２１は内部の中心の位置に連結部材６２０を嵌着する。該連結部材６２０の底面には凹溝を形成し、溝の内壁に、歯車に噛合する歯を形成した噛合リング６２０１を設け、別途、中心に歯車６２２１を具える発電機６２２を該連結部材６２０の凹溝に嵌着し（図３、図５参照）、該噛合リング６２０１と発電機６２２の歯車６２２１とを噛合させる（図５、図５−１参照）。また、回転盤６の下ハウジング６４の下凸部６４１に収納溝６４９を形成してスピーカー６４８を該収納溝６４内に設ける。該スピーカー６４８は電源線６４７を介して発電機６２２と電気的に接続する。電源線６４７はさらに延長して、発光素子６４６に接続する。発電機６２２は、噛合リング６２０１が回転すると、噛合する歯車６２２１が回転して微量の電流が発生し、スピーカー６４８を作動させ、発光素子６４６を発光させる。さらに、収納溝６４９の底面には、スピーカー６４８から発生する音声を外部に伝えるための複数の貫通孔６４５を形成する。
【００２９】
ハンドル２は、グリップ部材２２内に係合部材２３を設け（図３参照）、該係合部材２３の作用で嵌着部材２１とグリップ部材２２とを連結する。該係合部材２３は、湾曲させて弾性を持たせ、且つ両端縁部に突起を形成する。
また、グリップ部材２２の外側の一端には５０度の距離を置いて突起の貫通する孔部を穿設する。よって、ブリップ部２２と本体１の平行面は上方に２５度の挟角を形成して傾斜させるか、下方に２５度の挟角を形成して傾斜させることができる。係る上下に傾斜させる角度は人体工学に適ったものであって、使用者が力を入れる場合好ましい効果が得られる。
【００３０】
本体下ハウジング１２に設ける回転動作の制限桿１２３は、上端が支持桿３の位置制限溝３１内に進入し、支持桿３の回転を防ぐ作用を有する。また、回転動作の制御桿１２３の上端は、支持桿３とスライドブロック１４との連結が外れることを防ぐ作用を有する。
よって、支持桿３を本体１から取り外す場合は回転動作の制御桿１２３を位置制限溝３１から抜き取ることによって、支持桿３と本体１を容易に分解することができる。このため、この考案の健康器具を、梱包、運送、或いは収納する場合に便利である。
【００３１】
以上の構成によるこの考案の健康器具を使用する場合は、当接板４の円弧状の凹面を腹部に当てて、ハンドル２のグリップ部材２２を握り、本体１を当接板４に向かって押圧する（図７参照）。次いで、力を抜くと、弾性部材１３の付勢力によって本体１が当接板４から離れ、かかる動作を反復して行うことによって腕と腹部の運動の効果が得られる。
【００３２】
ハンドル部２を両手で操作して本体１を前後に円を描くように動かすと、間接的に回転盤６を本体１に平行して回転させることになる。この場合、回転盤６の内部に設けた錘部材６３が回転盤６の回転に対する抵抗力を発生し、かかる動作を反復して行うことによって腕と腹部の運動の効果が得られる。
【００３３】
錘部材６３は、締結部材６３２を緩めることによって、その位置を調整することができる（図５参照）。回転盤６の錘部材６３の位置が回転体６２に近接した位置に存在すると、回転に対する抵抗が大きくなり、逆に、回転体６２から離れた位置に存在すると、回転に対する抵抗が小さくなる。
【００３４】
Ｌ字状の連結桿５を介して回転盤６を本体１に対して平行になるように設けた場合（図４参照）、本体１に力を加えて水平方向に円を描く運動を行うことができ、かかる動作によって、錘部材６３を具える回転盤６が本体１に対して水平方向に回転する。即ち、手、腰、腹部を使って水平方向に円を描く運動を行い、手、腰、腹部の運動の効果を得る。
【００３５】
Ｔ字状の連結桿５ａの前端に回転盤６を接続し、回転盤６を本体１に対して垂直になるように設けた場合（即ち、回転盤６は地面に対して垂直になる）、本体１に力を加えて操作すると垂直方向に円を描く運動を行うことができ、かかる動作によって、錘部材６３を具える回転盤６が本体１に対して垂直に回転する。即ち、手、腰、腹部を使って垂直方向に円を描く運動を行い、手、腰、腹部の運動の効果を得る。
【００３６】
回転盤６が回転体６２を支軸として回転する場合（図５、図５−１参照）、連結部材６２０が同期して回転し、噛合リング６２０１が発電機６２２の歯車６２２１を回転させると、発電機６２２の回転軸が回転して電流が発生する。発生した電流はスピーカー６４８を作動させ、発光素子６４５を発光させる。回転盤６の回転が停止すると、スピーカー６４８と発光素子６４８の作動も停止する。
【００３７】
この考案による健康器具は、本体１と支持桿３との連結が堅牢であって、本体１が支持桿３をガイドレールとして当接板４の方向に向かって水平に移動する。また、支持桿３の両端は、本体１と当接板３に対して回転して位置がずれないように連結する。さらに、連結桿５は垂直部が回転盤６にし、水平部が本体１に、それぞれ安定して連結する。よって、回転盤６が回転する場合の安定性と、使用上の安全性を高めることができ、従来の技術に見られる使用寿命の問題を改善することができる。
【００３８】
以上はこの考案の好ましい実施例であって、この考案の実施の範囲を限定するものではない。よって、当業者のなし得る修正もしくは変更であって、この考案の精神の下においてなされ、この考案に対して均等の効果を有するものは、いずれも本考案の実用新案登録請求の範囲に属するものとする。
【図面の簡単な説明】
【００３９】
【図１】この考案による健康器具の一実施例を示す外観を示した斜視図である。
【図２】図１に開示する健康器具を下から見た斜視図である。
【図３】図１に開示する健康器具の分解斜視図である。
【図４】図１に開示する健康器具の断面図である。
【図５】この考案における健康器具の回転盤の部分の断面図である。
【図５−１】図５に開示するＡ−Ａ線に沿った断面の局部拡大図である。
【図６】この考案における回転盤の一部切り欠き説明図である。
【図７】この考案による健康器具の本体の断面図である。
【図８】この考案における連結桿をＴ字状の連結桿に置き換えた実施形態を表す説明図である。
【図９】この考案における連結桿をＴ字状の連結桿に置き換えた実施形態であって、他の実施態様を表す説明図である。
【符号の説明】
【００４０】
１          本体
１１        本体上ハウジング
１１１      スライド溝
１１２      収納溝
１１３      電子カウンタ
１２        本体下ハウジング
１２１      スライド溝
１２２      収納溝
１２３      回転動作制御桿
１２４      計測センサ
１３        弾性部材
１４        スライドブロック
１４１      軸挿入溝
２          ハンドル
２１        嵌着部材
２２        グリップ部材
３          支持桿
３１        位置制限溝
４          当接板
４１        環状突起
５          連結桿
５ａ        連結桿
６          回転体
６１        上ハウジング
６１１      凸部
６１２      開口
６１３      磁気ブロック
６１４      スライド溝
６２        回転体
６２０      連結部材
６２０１    噛合リング
６２１      回転体
６２２      発電機
６２２１    歯車
６３        重り
６３１      ネジ孔
６３２      締結部材
６４        下ハウジング
６４１      下凸部
６４３      スライド孔
６４５      貫通孔
６４６      発光素子
６４７      電源線
６４８      スピーカー
６４９      収納溝
【図１】
0003108991.tif 000003
【図２】
0003108991.tif 000004
【図３】
0003108991.tif 000005
【図４】
0003108991.tif 000006
【図５】
0003108991.tif 000007
【図５−１】
0003108991.tif 000008
【図６】
0003108991.tif 000009
【図７】
0003108991.tif 000010
【図８】
0003108991.tif 000011
【図９】
0003108991.tif 000012